(57)【要約】【課題】エラー情報を表示する表示手段の寿命の低下を抑制することのできる画像形成装置を提供する。【解決手段】画像形成装置は、画像形成にかかわる今回発生したエラーに関するエラー情報を表示する表示手段と、エラーの発生頻度を記憶する記憶手段と、前記記憶手段の記憶内容を基に前記表示手段に対する電力供給を停止させるタイミングを決定する決定手段と、前記今回発生したエラーが解除された場合に、前記決定手段によって決定されたタイミングに従って前記表示手段に対する電力供給を停止させる制御を実施する制御手段と、を備える。【選択図】図２
2010191379.tif 000002
【特許請求の範囲】
【請求項１】
今回発生したエラーに関するエラー情報を表示する表示手段と、
エラーの発生頻度を記憶する記憶手段と、
前記記憶手段の記憶内容を基に前記表示手段に対する電力供給を停止させるタイミングを決定する決定手段と、
前記今回発生したエラーが解除された場合に、前記決定手段によって決定されたタイミングに従って前記表示手段に対する電力供給を停止させる制御を行う制御手段と、
を有することを特徴とする処理装置。
【請求項２】
画像形成にかかわる今回発生したエラーに関するエラー情報を表示する表示手段と、
エラーの発生頻度を記憶する記憶手段と、
前記記憶手段の記憶内容を基に前記表示手段に対する電力供給を停止させるタイミングを決定する決定手段と、
前記今回発生したエラーが解除された場合に、前記決定手段によって決定されたタイミングに従って前記表示手段に対する電力供給を停止させる制御を実施する制御手段と、
を有することを特徴とする画像形成装置。
【請求項３】
前記決定手段は、
前記今回発生したエラーが解除された直後の時点、または前記今回発生したエラーが解除されてから予め設定される時間が経過した時点を前記タイミングとして決定する、
ことを特徴とする請求項２記載の画像形成装置。
【請求項４】
前記決定手段は、
前記記憶手段に記憶されているエラーの発生頻度が予め設定される閾値以下のときは、前記今回発生したエラーが解除された直後の時点を前記タイミングとして決定し、
前記エラーの発生頻度が前記閾値を超えているときは、前記今回発生したエラーが解除されてから予め設定される時間が経過した時点を前記タイミングとして決定する、
ことを特徴とする請求項３記載の画像形成装置。
【請求項５】
予め設定される期間ごとに設定される前記閾値を記憶する閾値記憶手段、
を更に有し、
前記決定手段は、
前記今回発生したエラーの発生時期が含まれる期間に対応する閾値を前記閾値記憶手段から読み出すとともに、この読み出した閾値と前記エラーの発生頻度とを比較し、該比較した結果に応じて前記タイミングを決定する、
ことを特徴とする請求項４記載の画像形成装置。
【請求項６】
前記記憶手段は、
エラーの種類ごとに前記予め設定される時間を示す時間情報を記憶し、
前記決定手段は、
前記記憶手段に記憶されているエラーの種類毎の前記時間情報の中から前記今回発生したエラーの種類に対応する時間情報を抽出し、該抽出した時間情報に基づく時間を前記予め設定される時間として採用する、
ことを特徴とする請求項３〜５の何れか一項に記載の画像形成装置。
【請求項７】
エラー発生している旨を報知する報知手段と、
前記報知手段による報知を実施するべき旨を設定する設定手段と、
を更に有し、
前記制御手段は、
前記設定手段によって前記報知手段による報知を実施するべき旨が設定されているときは、前記今回発生したエラーに対応して、前記表示手段への電力供給が停止された状態を維持させるとともに前記報知手段に対しエラー発生している旨を報知するよう制御する、
ことを特徴とする請求項２〜６の何れか一項に記載の画像形成装置。
【請求項８】
画像形成装置と、
前記画像形成装置と通信回線を介して接続され、前記画像形成装置に対し画像形成対象のデータを送信し画像形成を要求する要求元装置と、
を有し、
前記画像形成装置は、
前記通信回線を介して前記要求元装置から送信された前記画像形成対象のデータを受け付ける受付手段と、
前記受付手段が受け付けたデータにかかわる画像形成のときにエラーが発生した場合に、当該エラーに関するエラー情報を表示する表示手段と、
エラーの発生頻度を記憶する記憶手段と、
前記記憶手段の記憶内容を基に前記表示手段に対する電力供給を停止させるタイミングを決定する決定手段と、
前記今回発生したエラーが解除された場合に、前記決定手段によって決定されるタイミングに従って前記表示手段に対する電力供給を停止させる制御を実施する制御手段と、
を有することを特徴とする画像形成システム。
【請求項９】
前記決定手段は、
前記今回発生したエラーが解除された直後の時点、または前記今回発生したエラーが解除されてから予め設定される時間が経過した時点を前記タイミングとして決定する、
ことを特徴とする請求項８記載の画像形成システム。
【請求項１０】
エラー発生している旨を報知する報知手段と、
前記報知手段による報知を実施するべき旨を設定する設定手段と、
を更に有し、
前記制御手段は、
前記設定手段によって前記報知手段による報知を実施するべき旨が設定されているときは、前記今回発生したエラーに対応して、前記表示手段への電力供給が停止された状態を維持させるとともに前記報知手段に対しエラー発生している旨を報知するよう制御する、
ことを特徴とする請求項８または９記載の画像形成システム。
【請求項１１】
今回発生したエラーに関するエラー情報を表示手段に表示させる表示処理過程と、
記憶手段に記憶されているエラーの発生頻度情報を基に前記表示手段に対する電力供給を停止させるタイミングを決定する決定処理過程と、
前記今回発生したエラーが解除された場合に、前記決定処理過程により決定されたタイミングに従って前記表示手段に対する電力供給を停止させる制御を行う制御処理過程と、
をコンピュータに実行させることを特徴とする処理プログラム。
【発明の詳細な説明】
【技術分野】
【０００１】
本発明は、処理装置、画像形成装置、画像形成システム、処理プログラムに関するものである。
【背景技術】
【０００２】
従来、画像形成装置として、例えば，原稿画像を光学的に読み取る画像読取ユニットと、記録紙に画像を形成する画像形成ユニットとを別体の筐体で作製し、これら二つの筐体の何れか一方に操作表示部を搭載した画像形成装置が提案されている（例えば特許文献１参照。）。
【０００３】
この特許文献１では、画像読取ユニットと画像形成ユニットのうち何れか一方のユニット例えば画像形成ユニットは、紙ジャムなどユーザによる操作が必要な状態が検知された場合に、表示部への電力供給をオンし、表示部に当該状態に対する操作を操作者に指示するためのガイダンスを表示するとともに、表示部での当該ガイダンスの表示が終了した場合に、表示部への電力供給をオフする。
【先行技術文献】
【特許文献】
【０００４】
【特許文献１】特開２００５−３１８２０６号公報
【発明の概要】
【発明が解決しようとする課題】
【０００５】
本発明は、エラー情報を表示する表示手段の寿命の低下を抑制することのできる処理装置、画像形成装置、画像形成システム、処理プログラムを提供することを目的とする。
【課題を解決するための手段】
【０００６】
上記課題を解決するため、請求項１に記載の本発明の処理装置は、今回発生したエラーに関するエラー情報を表示する表示手段と、エラーの発生頻度を記憶する記憶手段と、前記記憶手段の記憶内容を基に前記表示手段に対する電力供給を停止させるタイミングを決定する決定手段と、前記今回発生したエラーが解除された場合に、前記決定手段によって決定されたタイミングに従って前記表示手段に対する電力供給を停止させる制御を行う制御手段と、を有することを特徴とする。
【０００７】
上記課題を解決するため、請求項２に記載の本発明の画像形成装置は、画像形成にかかわる今回発生したエラーに関するエラー情報を表示する表示手段と、エラーの発生頻度を記憶する記憶手段と、前記記憶手段の記憶内容を基に前記表示手段に対する電力供給を停止させるタイミングを決定する決定手段と、前記今回発生したエラーが解除された場合に、前記決定手段によって決定されたタイミングに従って前記表示手段に対する電力供給を停止させる制御を実施する制御手段と、を有することを特徴とする。
【０００８】
請求項３に記載の発明は、上記請求項２に記載の発明において、前記決定手段は、前記今回発生したエラーが解除された直後の時点、または前記今回発生したエラーが解除されてから予め設定される時間が経過した時点を前記タイミングとして決定する、ことを特徴とする。
【０００９】
請求項４に記載の発明は、上記請求項３に記載の発明において、前記決定手段は、前記記憶手段に記憶されているエラーの発生頻度が予め設定される閾値以下のときは、前記今回発生したエラーが解除された直後の時点を前記タイミングとして決定し、前記エラーの発生頻度が前記閾値を超えているときは、前記今回発生したエラーが解除されてから予め設定される時間が経過した時点を前記タイミングとして決定する、ことを特徴とする。
【００１０】
請求項５に記載の発明は、上記請求項４に記載の発明において、予め設定される期間ごとに設定される前記閾値を記憶する閾値記憶手段、を更に有し、前記決定手段は、前記今回発生したエラーの発生時期が含まれる期間に対応する閾値を前記閾値記憶手段から読み出すとともに、この読み出した閾値と前記エラーの発生頻度とを比較し、該比較した結果に応じて前記タイミングを決定する、ことを特徴とする。
【００１１】
請求項６に記載の発明は、上記請求項３〜５の何れか一項に記載の発明において、前記記憶手段は、エラーの種類ごとに前記予め設定される時間を示す時間情報を記憶し、前記決定手段は、前記記憶手段に記憶されているエラーの種類毎の前記時間情報の中から前記今回発生したエラーの種類に対応する時間情報を抽出し、該抽出した時間情報に基づく時間を前記予め設定される時間として採用する、ことを特徴とする。
【００１２】
請求項７に記載の発明は、上記請求項２〜６の何れか一項に記載の発明において、エラー発生している旨を報知する報知手段と、前記報知手段による報知を実施するべき旨を設定する設定手段と、を更に有し、前記制御手段は、前記設定手段によって前記報知手段による報知を実施するべき旨が設定されているときは、前記今回発生したエラーに対応して、前記表示手段への電力供給が停止された状態を維持させるとともに前記報知手段に対しエラー発生している旨を報知するよう制御する、ことを特徴とする。
【００１３】
上記課題を解決するため、請求項８に記載の本発明の画像形成システムは、画像形成装置と、前記画像形成装置と通信回線を介して接続され、前記画像形成装置に対し画像形成対象のデータを送信し画像形成を要求する要求元装置と、を有し、前記画像形成装置は、前記通信回線を介して前記要求元装置から送信された前記画像形成対象のデータを受け付ける受付手段と、前記受付手段が受け付けたデータにかかわる画像形成のときにエラーが発生した場合に、当該エラーに関するエラー情報を表示する表示手段と、エラーの発生頻度を記憶する記憶手段と、前記記憶手段の記憶内容を基に前記表示手段に対する電力供給を停止させるタイミングを決定する決定手段と、前記今回発生したエラーが解除された場合に、前記決定手段によって決定されるタイミングに従って前記表示手段に対する電力供給を停止させる制御を実施する制御手段と、を有することを特徴とする。
【００１４】
請求項９に記載の発明は、上記請求項８に記載の発明において、前記決定手段は、前記今回発生したエラーが解除された直後の時点、または前記今回発生したエラーが解除されてから予め設定される時間が経過した時点を前記タイミングとして決定する、ことを特徴とする。
【００１５】
請求項１０に記載の発明は、上記請求項８または９に記載の発明において、エラー発生している旨を報知する報知手段と、前記報知手段による報知を実施するべき旨を設定する設定手段と、を更に有し、前記制御手段は、前記設定手段によって前記報知手段による報知を実施するべき旨が設定されているときは、前記今回発生したエラーに対応して、前記表示手段への電力供給が停止された状態を維持させるとともに前記報知手段に対しエラー発生している旨を報知するよう制御する、ことを特徴とする。
【００１６】
上記課題を解決するため、請求項１１に記載の本発明の処理プログラムは、今回発生したエラーに関するエラー情報を表示手段に表示させる表示処理過程と、記憶手段に記憶されているエラーの発生頻度情報を基に前記表示手段に対する電力供給を停止させるタイミングを決定する決定処理過程と、前記今回発生したエラーが解除された場合に、前記決定処理過程により決定されたタイミングに従って前記表示手段に対する電力供給を停止させる制御を行う制御処理過程と、をコンピュータに実行させることを特徴とする。
【発明の効果】
【００１７】
請求項１記載の発明によれば、エラー情報を表示する表示手段の寿命の低下を抑制することができる。
【００１８】
請求項２記載の発明によれば、エラー情報を表示する表示手段の寿命の低下を抑制することができる。
【００１９】
請求項３記載の発明によれば、エラーが解除された場合に、エラーの発生頻度に応じて表示手段に対する電力供給を異なるタイミングで停止させることができる。
【００２０】
請求項４記載の発明によれば、エラーの発生頻度が閾値を超えているときは、エラーが解除された場合であっても、予め設定される時間については表示手段に対する電力供給を維持することができる。
【００２１】
請求項５記載の発明によれば、エラーが解除された場合に、予め設定される期間ごとに、エラーの発生頻度に応じて表示手段に対する電力供給を異なるタイミングで停止させることができる。
【００２２】
請求項６記載の発明によれば、エラーの種類に応じて、エラーが解除されてから表示手段に対する電力供給を停止させるまでの予め設定される時間を変更し、表示手段に対する電力供給を異なるタイミングで停止させることができる。
【００２３】
請求項７記載の発明によれば、表示手段によるエラー情報の表示が行われない分、エラーが発生した場合と当該エラーが解除された場合とに伴う表示手段の活動と非活動との繰り返しを抑制することができる。
【００２４】
請求項８記載の発明によれば、エラー情報を表示する表示手段の寿命の低下を抑制することができる
【００２５】
請求項９記載の発明によれば、エラーが解除された場合に、エラーの発生頻度に応じて表示手段に対する電力供給を異なるタイミングで停止させることができる。
【００２６】
請求項１０記載の発明によれば、表示手段によるエラー情報の表示が行われない分、エラーが発生した場合と当該エラーが解除された場合とに伴う表示手段の活動と非活動との繰り返しを抑制することができる。
【００２７】
請求項１１記載の発明によれば、エラー情報を表示する表示手段の寿命の低下を抑制させるソフトウェアを提供することができる。
【図面の簡単な説明】
【００２８】
【図１】第１の実施の形態に係る画像形成システムの構成を示す構成図である。
【図２】第１の実施の形態に係る画像形成装置の機能構成を示すブロック図である。
【図３】第１の実施の形態に係る画像形成装置に設けられる操作／表示部の外観を示す図である。
【図４】第１の実施の形態に係る画像入力装置の機能構成を示すブロック図である。
【図５】第１の実施の形態に係る画像形成装置の管理情報記憶部に記憶される管理情報を説明する図である。
【図６】第１の実施の形態に係る複数の画像形成装置の管理情報記憶部に記憶される管理情報における履歴情報の一例を示す図である。
【図７】第１の実施の形態に係る画像形成装置の表示部Ｏｆｆ処理の処理手順を示すフローチャートである。
【図８】第１の実施の形態に係る画像形成装置の表示部Ｏｆｆ処理の第１の具体例を示す図である。
【図９】第１の実施の形態に係る画像形成装置の表示部Ｏｆｆ処理の第２の具体例を示す図である。
【図１０】第１の実施の形態に係る画像形成装置のハードウェア構成を示す構成図である。
【図１１】第２の実施の形態に係る画像形成装置の管理情報記憶部に記憶される管理情報を説明する図である。
【図１２】第２の実施の形態に係る画像形成装置の表示部Ｏｆｆ処理の処理手順を示すフローチャートである。
【図１３】第２の実施の形態に係る画像形成装置の表示部Ｏｆｆ処理の具体例を示す図である。
【図１４】第４の実施の形態に係る画像形成装置の管理情報記憶部に記憶される管理情報を説明する図である。
【図１５】第４の実施の形態に係る複数の画像形成装置の管理情報記憶部に記憶される管理情報における履歴情報の一例を示す図である。
【発明を実施するための形態】
【００２９】
以下、本発明の一例としての実施の形態について、図面に基づいて詳細に説明する。なお、実施の形態を説明するための図面において、同一の構成要素には原則として同一の符号を付し、その繰り返しの説明は省略する。
【００３０】
（第１の実施の形態）
【００３１】
第１の実施の形態に係る画像形成システムについて、図１を参照して説明する。
【００３２】
画像形成システム１では、図１に示すように、複数（ｎ）の画像形成装置１００＃１，１００＃２，・・・，１００＃ｎと画像入力装置２００と情報処理装置３００とが通信回線４００を介して接続されている。
【００３３】
画像形成装置１００＃１〜１００＃ｎは例えばプリンタであり、画像入力装置２００は例えばスキャナであり、情報処理装置３００は例えばコンピュータである。なお、画像形成装置１００＃１〜１００＃ｎを総称して画像形成装置１００と表記する。
【００３４】
画像入力装置２００および情報処理装置３００は、それぞれ要求元装置の機能を有し、複数の画像形成装置１００の中の特定の画像形成装置に対し、画像形成対象（印刷対象）のデータ（印刷データ）を送信し画像形成要求（印刷要求）を行う。
【００３５】
通信回線４００としては、ローカルエリアネットワーク（ＬＡＮ＝Ｌｏｃａｌ  Ａｒｅａ  Ｎｅｔｗｏｒｋ）や電話回線などの有線通信回線、無線ＬＡＮなどの無線通信回線、さらには、これらの通信回線を組み合わせたもの、などが挙げられる。この第１の実施の形態では通信回線４００としてネットワークを採用し、通信回線４００をネットワーク４００と表記する。
【００３６】
処理装置としての画像形成装置１００（１００＃１〜１００＃ｎ）は、図２に示すように、通信部１１０、制御部１２０、管理情報記憶部１３０、画像処理部１４０、印刷処理部１５０、および操作／表示部１６０を有している。なお、画像形成装置１００には、記録用紙を収容するとともに印刷処理部１５０に対し当該記録用紙を供給する給紙装置（給紙トレイ）が着脱可能に装着されるようになっている。
【００３７】
通信部１１０は、ネットワーク４００に接続され、該ネットワーク４００に接続された画像入力装置２００あるいは情報処理装置３００とのデータの送受信を行う。このデータは、制御部１２０に与えられる。
【００３８】
制御部１２０は、受付部１２１と決定部１２２とを有している。
【００３９】
受付部１２１は、受付手段の機能を有し、通信部１１０を介して要求元装置としての画像入力装置２００または情報処理装置３００から送信された画像形成対象のデータを受け付ける。
【００４０】
決定部１２２は、決定手段の機能を有し、管理情報記憶部１３０の記憶内容を基に操作／表示部１６０に対する電力供給を停止させるタイミングを決定する。
【００４１】
制御部１２０は、制御手段の機能を有し、当該画像形成装置１００でエラーが発生した場合には、操作／表示部１６０への電力供給をオンし当該操作／表示部１６０に対し当該エラー情報を表示させるとともに、当該エラーが解除された場合は、操作／表示部１６０への電力供給をオフさせる制御を実施する。
【００４２】
エラーの種類としては、（１）画像形成対象のデータ（ジョブ）の受信失敗を意味するジョブフォールト（ＪｏｂＦａｕｌｔ）、（２）記録用紙等の紙ジャムを意味するジャム（Ｊａｍ）、（３）印刷処理部１５０に設けられる感光体ユニット（ＣＲＵ）に含まれる例えば感光体（像保持体）の劣化に起因する当該感光体ユニットの交換を意味する感光体ユニット交換（ＣＲＵ交換）、（４）当該画像形成装置１００のカバーが開状態になっていることを意味するカバーオープン（ＣｖｅｒＯｐｅｎ）、（５）当該画像形成装置１００に上記給紙装置（図示せず）が未装着であることを意味するノートレイ（ＮｏＴｒａｙ）、（６）ミスマッチ（ＭｉｓｓＭａｔｃｈ）、（７）指定された記録用紙を収容する給紙装置（図示せず）に記録用紙が収容されていない（記録用紙が無い）ことを意味するノーペーパー（ＮｏＰａｐｅｒ）、などが挙げられる。
【００４３】
なお、ミスマッチとは、例えば「Ａ４サイズの普通紙」がセットされている給紙装置（給紙トレイ）に誤って例えば「Ｂ５サイズの厚紙」のような異なるサイズおよび紙質の記録用紙が混在してしまった状態で、「Ａ４サイズの普通紙」を指定したジョブ（Ｊｏｂ）を印刷している最中に混在されている「Ｂ５サイズの厚紙」に対して印刷が行われると発生するエラーのことである。この例ではサイズおよび紙質の両方が異なる記録用紙が混在された場合にミスマッチが発生すると説明したが、このミスマッチは、サイズおよび紙質の何れか一方が不一致の場合においても発生する。
【００４４】
上述したジャム、感光体ユニット交換などエラーはユーザ操作が必要になる不具合状態を意味するので、この不具合状態の上述した各種のエラーを総称して「ＯＰＣ(Ｏｐｅｒａｔｏｒ  Ｃａｌｌ)エラー」と表記する。
【００４５】
記憶部１３０は、記憶手段の機能を有し、発生しているエラーが解除された場合に、ガイダンス（エラー情報）を表示している操作／表示部１６０に対する電力供給をオフさせるタイミングを決定するための管理情報１３００を記憶する。この管理情報１３００の詳細については後述する。
【００４６】
画像処理部１４０は、制御部１２０から与えられる印刷データを基にページ単位の画像データ（ラスタデータ）を生成する。
【００４７】
印刷処理部１５０は、例えば電子写真プロセスを実行するものであり、画像処理部１４０によって生成されたページ単位の画像データを基に、給紙装置（図示せず）から提供される記録用紙に画像を画像形成（印刷）する。
【００４８】
操作／表示部１６０は、表示部１６１、報知部１６２、および操作部１６３を有しており、当該画像形成装置１００の状態、画像形成（印刷）中のメッセージやエラーメッセージなど表示情報を表示するとともに、ユーザによって入力された入力情報や指示情報を制御部１２０へ出力する。操作／表示部１６０の外観の一例を図３に示す。
【００４９】
図３に示す操作／表示部１６０において、表示部１６１は、表示手段の機能を有し、例えば液晶ディスプレイ（ＬＣＤ）で構成され、エラー（ＯＰＣエラー）に関するエラー情報（ＯＰＣエラー情報）を表示する。
【００５０】
報知部１６２は、報知手段の機能を有し、例えば発光ダイオード（ＬＥＤ）で構成され、エラー発生の有無を示す旨に応じて点灯または消灯の状態となり、エラー発生している場合は点灯してエラー発生している旨を報知（表示）する。報知部２６２の構成要素である発光ダイオード（ＬＥＤ）は、表示部２６１の構成要素である液晶ディスプレイ（ＬＣＤ）よりも消費電力が低いものになっている。
【００５１】
操作部１６３は、表示部１６１に表示されたメニューなどの項目（選択肢）を選択するためのカーソルを上下方向に移動させるボタンと左右方向に移動させるボタンとを含む第１のボタン（ボタン＃Ｂ１）と、コピー開始、操作内容や処理の中断または停止などを指示するための第２のボタン（ボタン＃Ｂ２）とを有する。操作部１６３で押下（操作）されたボタンに対応する信号（データ）は制御部１２０に与えられる。
【００５２】
また、操作部１６３では、上記第１のボタン（ボタン＃Ｂ１）を操作して確定した特定の項目（選択肢）に対し、上記第１のボタン（ボタン＃Ｂ１）の上下方向に移動させるボタンを操作することで、０〜９までの各数字を入力することが可能となる。
【００５３】
なお、操作部１６３は、０〜９までの数字（テンキーに対応する数字）およびアルファベット（Ａ〜Ｚ）に対応するボタンを備えるようにしてもよい。
【００５４】
ここで、上述したエラー情報（ＯＰＣエラー情報）はガイダンスを意味するので、「エラー情報の表示」を「ガイダンス表示」と定義する。また、上述したエラー発生している旨は報知部が点灯（ＬＥＤが点灯）することで表現されるので、「エラー発生している旨の報知」を「ＬＥＤ表示」と定義する。
【００５５】
要求元装置としての画像入力装置２００は、図４に示すように、通信部２１０、制御部２２０、画像読取部２３０、画像解析部２４０、および操作／表示部２５０を有している。
【００５６】
通信部２１０は、ネットワーク４００に接続され、該ネットワーク４００に接続された画像形成装置１００とのデータの送受信を行う。
【００５７】
画像読取部２３０は、原稿を光学的に読み取り画像データに変換する。この画像データは制御部２２０を経由して画像解析部２４０に与えられる。
【００５８】
画像解析部２４０は、制御部２２０から与えられる画像データを解析し、この解析した結果を制御部２２０へ出力する。
【００５９】
制御部２２０は、画像読取部２３０によって変換された画像データを取得して画像解析部２４０へ出力するとともに、画像解析部２４０によって解析された解析結果を取得し、この解析結果を基に、操作／表示部２５０に対しメッセージの表示の制御や入力要求などを行う。
【００６０】
また、制御部２２０は、通信部２１０を介して、画像解析部２４０によって解析された解析結果を画像形成対象のデータ（印刷データ）として、複数の画像形成装置１００の中の特定の画像形成装置に向けて送信する。
【００６１】
操作／表示部２５０は、当該画像入力装置２００の状態やメッセージなど表示情報を表示するとともに、ユーザにより入力された入力情報や指示情報を制御部２２０へ出力する。
【００６２】
第１の実施の形態では、画像形成装置１００と例えば画像入力装置２００とがネットワーク４００を介して接続された状態で、画像形成装置１００でＯＰＣエラーが発生した場合は、画像入力装置２００の操作／表示部２５０においてはガイダンス表示（エラー情報の表示）は行わず、ＯＰＣエラーを発生している画像形成装置１００の操作／表示部１６０にのみガイダンス表示やＬＥＤ表示を行うようになっている。
【００６３】
要求元装置としての情報処理装置３００は、アプリケーションソフトウェアにより作成されたデータを画像形成装置１００で画像形成可能なデータ形式のデータ（例えばページ記述言語で記述されたデータ）に変換し、この変換後のデータを画像形成対象のデータ（印刷データ）として、複数の画像形成装置１００の中の特定の画像形成装置に向けて送信する。
【００６４】
次に、画像形成装置１００の管理情報記憶部１３０に記憶される管理情報１３００について、図５を参照して説明する。
【００６５】
管理情報１３００は、図５に示すように、履歴情報１３１０、待ち時間情報１３２０、および閾値情報１３３０を含んでいる。
【００６６】
履歴情報１３１０は、図５（ａ）に示すように、ＯＰＣエラーの発生頻度（発生回数）を示すＯＰＣエラー発生回数１３１１、および画像形成対象のジョブ（印刷データ）の受信回数を示すＪｏｂ受信回数１３１２の各項目から構成されている。
【００６７】
待ち時間情報１３２０は、図５（ｂ）に示すように、ＯＰＣエラー種類１３２１およびパネルｏｆｆまでの待ち時間１３２２の各項目から構成されている。この待ち時間情報１３２０の項目には、エラーの種類ごとに時間情報つまりパネルｏｆｆまでの待ち時間（以下「パネルｏｆｆ待ち時間」という。）を示す時間情報が設定される。
【００６８】
なお、パネルｏｆｆとは、表示部１６１の構成要素である例えば液晶ディスプレイ（ＬＣＤ）に対する電力供給をオフ（ｏｆｆ）することである。
【００６９】
ＯＰＣエラー種類１３２１の項目において、「ＪｏｂＦａｕｌｔ」はジョブフォールトを示し、「Ｊａｍ」はジャムを示し、「ＣＲＵ交換」は感光体ユニット交換を示し、「ＣｖｅｒＯｐｅｎ」はカバーオープンを示し、「ＭｉｓｓＭａｔｃｈ」はミスマッチを示し、「ＮｏＰａｐｅｒ」はノーペーパーを示す。
【００７０】
なお、「ＣＲＵ交換」のＯＰＣエラーに関し、感光体ユニット（ＣＲＵ）を一度交換すると、この「ＣＲＵ交換」のＯＰＣエラーで再度発生する可能性は極めて低い。
【００７１】
また、「ＭｉｓｓＭａｔｃｈ」のＯＰＣエラーに関し、リカバリしたサイズが再度「ＭｉｓｓＭａｔｃｈ」のＯＰＣエラーを発生させる可能性が高い。
【００７２】
閾値情報１３３０は、図５（ｃ）に示すように、ＯＰＣエラーの発生頻度（発生回数）に対する第１の閾値を示すＯＰＣエラー発生頻度閾値（小）と、ＯＰＣエラーの発生頻度（発生回数）に対する第２の閾値を示すＯＰＣエラー発生頻度閾値（大）と、ジョブ（Ｊｏｂ）の受信回数に対する閾値を示すＪｏｂ受信頻度閾値とを含んでいる。
【００７３】
なお、待ち時間情報１３２０および閾値情報１３３０のそれぞれの設定値は、制御部１２０によって設定（自動設定）されるか、あるいはユーザによる操作／表示部１６０の操作部１６３の操作により設定されるようになっている。制御部１２０による設定（自動設定）での待ち時間情報１３２０の設定値（待ち時間）は、ディフォルト値、あるいは過去の一定期間におけるＯＰＣエラーの発生頻度に応じた値となる。この場合、ＯＰＣエラーの発生頻度が高いほど待ち時間が長く（値が大きく）なるように設定される。
【００７４】
複数の画像形成装置１００（１００＃１，１００＃２，１００＃ｎ）の各管理情報記憶部１３０に記憶されている管理情報１３００における履歴情報の一例を図６に示す。
【００７５】
次に、画像形成装置１００による表示部Ｏｆｆ処理について、図７を参照して説明する。
【００７６】
画像形成装置１００では、通信部１１０によって画像入力装置２００との通信が確立した場合、決定部１２２は、図７に示すように、ＯＰＣエラー発生頻度およびＪｏｂ発生回数の各値として、管理情報記憶部１３０に記憶されている管理情報１３００の履歴情報１３１０の各設定値を設定する（ステップＳ１０１）。
【００７７】
また、決定部１２２は、パネルｏｆｆ待ち時間、ＯＰＣエラー発生頻度閾値（小）、ＯＰＣエラー発生頻度閾値（大）、およびＪｏｂ受信頻度閾値の各値として、上記管理情報１３００内の待ち時間情報１３２０および閾値情報１３３０の各設定値を設定する（ステップＳ１０２）。
【００７８】
なお、ステップＳ１０２において、パネルｏｆｆ待ち時間の値として、暫定的に、前回発生したＯＰＣエラーの種類に対応するパネルｏｆｆ待ち時間が設定されるようになっている。しかし、今回発生するＯＰＣエラーの種類が前回発生したＯＰＣエラーの種類と異なる場合は、パネルｏｆｆ待ち時間の値として、今回発生するＯＰＣエラーの種類に対応するパネルｏｆｆ待ち時間が再設定されるようになっている。
【００７９】
すなわち、ステップＳ１０２においては、決定部１２２は、管理情報１３００の待ち時間情報１３２０の中から、前回発生したＯＰＣエラーの種類に対応するパネルｏｆｆ待ち時間を抽出し、この抽出したパネルｏｆｆ待ち時間を暫定的にパネルｏｆｆ待ち時間の値として設定する。そして、決定部１２２は、今回発生するＯＰＣエラーの種類が前回発生したＯＰＣエラーの種類と異なる場合、パネルｏｆｆ待ち時間の値として、今回発生するＯＰＣエラーの種類に対応するパネルｏｆｆ待ち時間を再設定する。
【００８０】
さて、制御部１２０は、ＯＰＣエラーが発生したか否かを判断し（ステップＳ１０３）、このステップＳ１０３においてＯＰＣエラーが発生したと判断した場合は、操作／表示部１６０の表示部１６１に対する電力供給をオン（ＯＮ）させ、当該表示部１６１に対しガイダンス表示（エラー情報の表示）をさせる。
【００８１】
この場合、制御部１２０は、表示部１６１によるガイダンス表示の制御に加えて、操作／表示部１６０の報知部１６２に対する電力供給をオン（ＯＮ）させ、当該報知部１６２に対しＬＥＤ表示（エラー発生している旨の報知）を行わせる制御を実施するようにしてもよい。
【００８２】
さて、ステップＳ１０３において制御部１２０によってＯＰＣエラーが発生したと判断された場合、制御部１２０では、決定部１２２は、ステップＳ１０１およびステップＳ１０２において設定した設定内容を基に、「Ｊｏｂ受信頻度閾値＜Ｊｏｂ受信回数」の関係式が成立するか否かを判断する（ステップＳ１０４）。
【００８３】
決定部１２２は、ステップＳ１０４において、上記関係式が成立すると判断した場合は、ステップＳ１０１およびステップＳ１０２において設定した設定内容を基に、ＯＰＣエラー発生頻度とＯＰＣエラー発生頻度閾値（小）およびＯＰＣエラー発生頻度閾値（大）との関係を調べる（ステップＳ１０５）。
【００８４】
決定部１２２は、ステップＳ１０５において、「ＯＰＣエラー発生頻度＜ＯＰＣエラー発生頻度閾値（小）」の関係式が成立すると判断した場合には、制御部１２０との協働により第１の表示部Ｏｆｆ処理を実行し（ステップＳ１０６）、一方、「ＯＰＣエラー発生頻度閾値（小）＜ＯＰＣエラー発生頻度＜ＯＰＣエラー発生頻度閾値（大）」の関係式が成立すると判断した場合は、制御部１２０との協働により第２の表示部Ｏｆｆ処理を実行する（ステップＳ１０７）。
【００８５】
第１の表示部Ｏｆｆ処理においては、決定部１２２は、今回発生したエラーが解除された直後の時点を、表示部１６１に対する電力供給を停止させるタイミング（以下「停止タイミング」という。）として決定する。すなわち、決定部１２２は、管理情報記憶部１３０に記憶されているエラーの発生頻度が予め設定される閾値（ＯＰＣエラー発生頻度閾値（小））以下のときは、今回発生したエラーが解除された直後の時点を停止タイミングとして決定する。
【００８６】
そして、制御部１２０は、ＯＰＣエラーが解除された場合、決定部１２２によって決定された停止タイミングに従って、ガイダンス表示している表示部１６１に対する電力供給を停止させる制御を行う。これで、上述した第１の表示部Ｏｆｆ処理が終了したことになる。
【００８７】
一方、第２の表示部Ｏｆｆ処理においては、今回発生したエラーが解除されてから予め設定される時間が経過した時点を停止タイミングとして決定する。すなわち、決定部１２２は、エラーの発生頻度が予め設定される閾値（ＯＰＣエラー発生頻度閾値（小））を超え、かつＯＰＣエラー発生頻度閾値（大）未満のときは、今回発生したエラーが解除されてから予め設定される時間が経過した時点を停止タイミングとして決定する。
【００８８】
そして、制御部１２０は、ＯＰＣエラーが解除された場合、決定部１２２によって決定された停止タイミングに従って、ガイダンス表示している表示部１６１に対する電力供給を停止させる制御を行う。これで、上述した第２の表示部Ｏｆｆ処理が終了したことになる。
【００８９】
なお、決定部１２２は、ステップＳ１０４において、Ｊｏｂ受信回数がＪｏｂ受信頻度閾値以下であると判断した場合（Ｊｏｂ受信頻度閾値＞Ｊｏｂ受信回数の関係式が成立すると判断した場合）は、ステップＳ１０６に移行する。
【００９０】
すなわち、決定部１２２は、Ｊｏｂ受信回数がＪｏｂ受信頻度閾値以下であるときは、ＯＰＣエラーを発生している当該画像形成装置に関しては頻繁にＪｏｂ処理を行っていない画像形成装置とみなし、ＯＰＣエラー発生頻度（ＯＰＣエラー発生回数）に関係なく、ＯＰＣエラーが解除された直後を、ガイダンス表示している表示部１６１に対する電力供給を停止させるタイミング（停止タイミング）として決定する。
【００９１】
そして、制御部１２０は、ＯＰＣエラーが解除された場合、決定部１２２によって決定された停止タイミングに従って、ガイダンス表示している表示部１６１に対する電力供給を停止させる制御を行う。
【００９２】
なお、ステップＳ１０３においてＯＰＣエラーは発生していないと判断された場合、ステップＳ１０６が終了された場合あるいはステップＳ１０７が終了された場合は、この処理は終了となる。
【００９３】
次に、上述した表示部Ｏｆｆ処理について、具体例を挙げて説明する。
【００９４】
ここで、画像形成装置１００＃２は、現在、「Ｊｏｂ受信頻度閾値＜Ｊｏｂ受信回数」かつ「ＯＰＣエラー発生頻度（ＯＰＣエラー発生回数）＜ＯＰＣエラー発生頻度閾値（小）」であるとする。
【００９５】
また、画像形成装置１００＃ｎは、現在、「Ｊｏｂ受信頻度閾値＜Ｊｏｂ受信回数」かつ「ＯＰＣエラー発生頻度閾値（小）＜ＯＰＣエラー発生頻度（ＯＰＣエラー発生回数）＜ＯＰＣエラー発生頻度閾値（大）」であるとする。
【００９６】
画像形成装置１００＃２と画像入力装置２００との間で通信が確立すると、画像形成装置１００＃２は、画像入力装置２００からの画像形成対象の印刷データ（ジョブ）を受信し、この印刷データ（ジョブ）に対する画像形成を実施する。
【００９７】
画像形成装置１００＃２において、上述した画像形成のときに例えば紙ジャムが発生したときは、制御部１２０は、操作／表示部１６０の表示部１６１および報知部１６２に対する電力供給をオンさせ、表示部１６１に対しガイダンス表示を行わせるとともに報知部１６２に対しＬＥＤ表示を行わせる。
【００９８】
これにより、画像形成装置１００＃２において、操作／表示部１６０の表示部１６１および報知部１６２は、図８（ａ）に示すように電力供給が停止されている状態（電力供給がオフの状態）から、図８（ｂ）に示すように電力供給がオンされた状態に遷移する。
【００９９】
図８（ｂ）に示す状態においては、表示部１６１は、ＯＰＣエラー（例えば紙ジャム）にかかわるガイダンス表示（エラー情報の表示）を行うとともに、報知部１６２は、ＬＥＤ（発光ダイオード）を点灯つまりＬＥＤ表示（エラー発生している旨の報知）を行う。
【０１００】
第１の実施の形態では、ＯＰＣエラーが発生した場合に、表示部１６１によるガイダンス表示と報知部１６２によるＬＥＤ表示とを実施するようにしているが、本発明はこれに限定されることなく、少なくとも表示部１６１によるガイダンス表示を実施するようにすればよい。
【０１０１】
画像形成装置１００＃２は、上述した管理情報１３００の内容より、現在、「Ｊｏｂ受信頻度閾値＝３０＜Ｊｏｂ受信回数＝４４」かつ「ＯＰＣエラー発生頻度（ＯＰＣエラー発生回数）＝２＜ＯＰＣエラー発生頻度閾値（小）＝５」であるので、決定部１２２は、図７のステップＳ１０５において「ＯＰＣエラー発生頻度＜ＯＰＣエラー発生頻度閾値（小）」の関係式が成立すると判断し、ステップＳ１０６の第１の表示部Ｏｆｆ処理を実行する。
【０１０２】
すなわち、決定部１２２は、この第１の表示部Ｏｆｆ処理を実行することにより、今回発生したＯＰＣエラー（この例では紙ジャム）が解除された直後の時点を上記停止タイミングとして決定する。
【０１０３】
そして、今回のＯＰＣエラー（紙ジャム）が解除されると、制御部１２０は、決定部１２２が決定した上記停止タイミングに従って操作／表示部１６０の表示部１６１および報知部１６２の電力供給を停止（オフ）させる制御を行う。これにより、操作／表示部１６０の表示部１６１および報知部１６２は、図８（ｂ）に示す電力供給がオンされた状態から、図８（ｃ）に示すように電力供給が停止されている状態（電力供給がオフの状態）に遷移する。この場合、表示部１６１および報知部１６２のそれぞれに対する電力供給は、図８（ｄ）に示すように今回のＯＰＣエラー（紙ジャム）が解除された時点で、オン（Ｏｎ）からオフ（Ｏｆｆ）に変化される。
【０１０４】
次に、画像形成装置１００＃ｎと画像入力装置２００との間で通信が確立すると、画像形成装置１００＃ｎは、画像入力装置２００からの画像形成対象の印刷データ（ジョブ）を受信し、この印刷データ（ジョブ）に対する画像形成を実施する。
【０１０５】
画像形成装置１００＃ｎにおいて、上述した画像形成のときに例えば紙ジャムのＯＰＣエラーが発生したときは、制御部１２０は、操作／表示部１６０の表示部１６１および報知部１６２に対する電力供給をオンさせ、表示部１６１に対しガイダンス表示を行わせるとともに報知部１６２に対しＬＥＤ表示を行わせる。
【０１０６】
これにより、画像形成装置１００＃ｎにおいて、操作／表示部１６０の表示部１６１および報知部１６２は、図９（ａ）に示すように電力供給が停止されている状態（電力供給がオフの状態）から、図９（ｂ）に示すように電力供給がオンされた状態に遷移する。
【０１０７】
図９（ｂ）に示す状態においては、表示部１６１は、ＯＰＣエラー（例えば紙ジャム）にかかわるガイダンス表示（エラー情報の表示）を行うとともに、報知部１６２は、ＬＥＤ（発光ダイオード）を点灯つまりＬＥＤ表示（エラー発生している旨の報知）を行う。
【０１０８】
画像形成装置１００＃ｎは、上述した管理情報１３００の内容より、現在、「Ｊｏｂ受信頻度閾値＝３０＜Ｊｏｂ受信回数＝３１」かつ「ＯＰＣエラー発生頻度閾値（小）＝５＜ＯＰＣエラー発生頻度（ＯＰＣエラー発生回数）＝７＜ＯＰＣエラー発生頻度閾値（大）＝１０」であるので、決定部１２２は、図７のステップＳ１０５において「ＯＰＣエラー発生頻度閾値（小）＜ＯＰＣエラー発生頻度＜ＯＰＣエラー発生頻度閾値（大）」の関係式が成立すると判断し、ステップＳ１０７の第２の表示部Ｏｆｆ処理を実行する。
【０１０９】
すなわち、決定部１２２は、この第２の表示部Ｏｆｆ処理を実行することにより、今回発生したＯＰＣエラー（この例では紙ジャム）が解除されてから予め設定される時間（パネルｏｆｆ待ち時間）が経過した時点を停止タイミングとして決定する。
【０１１０】
この場合、予め設定される時間すなわちパネルｏｆｆ待ち時間の値として、決定部１２２によって図７のステップＳ１０２において設定され、前回発生したＯＰＣエラーの種類例えばジャム（紙ジャム）に対応するパネルｏｆｆ待ち時間例えば「１００ｓｅｃ」が設定されているものとする。そして、決定部１２２は、今回発生したＯＰＣエラーの種類と前回発生したＯＰＣエラーの種類とが同一なので、上述したパネルｏｆｆ待ち時間の値「１００ｓｅｃ」を採用するようにする。
【０１１１】
したがって、上述した停止タイミングは、今回発生したＯＰＣエラー（この例では紙ジャム）が解除されてからパネルｏｆｆ待ち時間「１００ｓｅｃ」が経過した時点となる。
【０１１２】
そして、今回のＯＰＣエラー（紙ジャム）が解除されると、制御部１２０は、決定部１２２が決定した上記停止タイミングに従って、操作／表示部１６０の表示部１６１および報知部１６２の電力供給を停止（オフ）させる制御を行う。つまり制御部１２０は、今回のＯＰＣエラー（紙ジャム）が解除されてからパネルｏｆｆ待ち時間１００ｓｅｃが経過した時点で、操作／表示部１６０の表示部１６１および報知部１６２に対する電力供給を停止（オフ）させる制御を実施する。
【０１１３】
これにより、操作／表示部１６０の表示部１６１および報知部１６２は、図９（ｂ）に示すように電力供給がオンされた状態から、ＯＰＣエラーが解除されてからパネルｏｆｆ待ち時間１００ｓｅｃが経過した時点で、図９（ｃ）に示すように電力供給が停止されている状態（電力供給がオフの状態）に遷移する。この場合、表示部１６１および報知部１６２のそれぞれに対する電力供給は、図９（ｄ）に示すように今回のＯＰＣエラー（紙ジャム）が解除されてから１００ｓｅｃ経過した時点で、オン（Ｏｎ）からオフ（Ｏｆｆ）に変化される。
【０１１４】
なお、上述した画像形成装置１００＃２および画像形成装置１００＃ｎのそれぞれが「Ｊｏｂ受信頻度閾値＞Ｊｏｂ受信回数」の関係式が成立する場合、決定部１２２は、前記各画像形成装置に関しては頻繁にＪｏｂ処理を行っていない画像形成装置とみなし、ＯＰＣエラー発生頻度（ＯＰＣエラー発生回数）に関係なく、ＯＰＣエラーが解除された直後を、表示部１６１に対する電力供給を停止させるタイミング（停止タイミング）として決定する（第１の表示部Ｏｆｆ処理参照。）。
【０１１５】
そして、制御部１２０は、決定部１２２によって決定された上記停止タイミングに従って、ガイダンス表示している表示部１６１に対する電力供給を停止させる制御を行う（第１の表示部Ｏｆｆ処理、図８参照。）。
【０１１６】
第１の実施の形態では、ＯＰＣエラーの種類としてジャム（紙ジャム）を例にして表示部Ｏｆｆ処理について説明しているが、本発明はこれに限定されることなく、ＯＰＣエラーの種類として「ＣＲＵ交換」や「ＣｏｖｅｒＯｐｅｎ」など各種のＯＰＣエラーが発生した場合にも表示部Ｏｆｆ処理を実行するようにしてもよい。
【０１１７】
この場合、上述した第２の表示部Ｏｆｆ処理においては、ＯＰＣエラーが解除されてから、ＯＰＣエラーの種類に応じたパネルｏｆｆ待ち時間が経過した後に、ガイダンス表示している表示部１６１に対する電力供給が停止（オフ）される。
【０１１８】
また、第１の実施の形態では、画像形成装置と画像入力装置とが通信回線を介して接続された状態において、画像形成装置でＯＰＣエラーが発生した場合の表示部Ｏｆｆ処理について説明しているが、本発明はこれに限定されることなく、画像形成装置と情報処理装置とが通信回線を介して接続された状態において、画像形成装置でＯＰＣエラーが発生した場合に上述した表示部Ｏｆｆ処理を実施するようにしてもよい。
【０１１９】
さらに、第１の実施の形態では、画像形成装置と画像入力装置または情報処理装置とが通信回線を介して接続される構成としているが、本発明はこれに限定されることなく、複写機能、スキャン機能、印刷機能など複数の画像形成機能のうち少なくとも一つの画像形成機能を有する画像形成装置を単独で使用する構成としてもよい。
【０１２０】
以上説明したように、第１の実施の形態では、ＯＰＣエラーの発生頻度に応じて表示部１６１に対する電力供給を停止させるタイミングを決定し、ＯＰＣエラーの発生頻度がＯＰＣエラー発生頻度閾値を超えている場合は、ＯＰＣエラーが解除されてからパネルｏｆｆ時間が経過した後に、表示部１６１に対する電力供給を停止（オフ）させる。そのため、前記パネルｏｆｆ時間の間に、新たなＯＰＣエラーが発生したときは、電力供給がオン状態の表示部１６１によるガイダンス表示が行われる。
【０１２１】
従って、表示部１６１に対する電力供給のオンオフ制御が抑制されることで、表示部１６１のオフ（Ｏｆｆ）とオン（Ｏｎ）の動作が抑制される。これにより表示部１６１は、寿命の低下が抑制される。
【０１２２】
次に、第１の実施の形態に係る画像形成装置１００のハードウェア構成について、図１０を参照して説明する。
【０１２３】
画像形成装置１００（１００＃１，１００＃２，１００＃ｎ）は、図１０に示すように、ＣＰＵ１０１、記憶装置１０２、ＲＯＭ１０３、ＲＡＭ１０４、操作パネル１０５、プリンタエンジン１０６、および通信インタフェース（以下「通信Ｉ／Ｆ」という。）１０７を備えている。
【０１２４】
上記各構成要素１０１〜１０７はシステムバス１０８に接続されている。なお、記憶装置１０２、およびプリンタエンジン１０６は、それぞれに対応するインタフェース（図示せず）を介してシステムバス１０８に接続される。
【０１２５】
記憶装置１０２は、例えばハードディスクであり、図２に示した制御部１２０（受付部１２１および決定部１２２を含む）および画像処理部１４０の各機能を実現するためのソフトウェア（プログラム）、図７に示した表示部Ｏｆｆ処理の処理手順に対応するソフトウェア（プログラム）、処理プログラム１０２Ａなどインストールされた各種のプログラムを記憶している。
【０１２６】
処理プログラム１０２Ａは、少なくとも次の（１）〜（３）の各処理過程を含んでいる。
【０１２７】
（１）今回発生したエラーに関するエラー情報を表示手段（表示部１６１）に表示させる表示処理過程。この処理過程は制御部１２０によって実行される。
【０１２８】
（２）記憶手段（管理情報記憶部１３０）に記憶されているエラーの発生頻度情報を基に上記表示手段に対する電力供給を停止させるタイミングを決定する決定処理過程。この処理過程は制御部１２０の決定部１２２によって実行される。
【０１２９】
（３）上記今回発生したエラーが解除された場合に、上記決定処理過程により決定されたタイミングに従って上記表示手段に対する電力供給を停止させる制御を行う制御処理過程。この処理過程は制御部１２０によって実行される。
【０１３０】
ＲＯＭ１０３は、読み出し専用メモリであり、画像入力装置２００、情報処理装置３００など外部装置との通信を実施するための通信プロトコル情報を記憶している。
【０１３１】
ＲＡＭ１０４は、随時書き込み読み出しメモリであり、記憶装置１０２から読み込まれた処理プログラム１０２Ａを含むプログラムやデータ、ＲＯＭ１０３から読み込まれた通信プロトコル情報、通信Ｉ／Ｆ２０７によって送受信されるデータなどを記憶する。
【０１３２】
操作パネル１０５は、図２に示した操作／表示部１６０の機能を有し、エラー情報、エラー発生している旨など表示情報を表示する表示機能と、例えば待ち時間情報１３２０および閾値情報１３３０のそれぞれの設定値などの入力情報を入力する入力機能とを有する。
【０１３３】
プリンタエンジン１０６は、図２に示した印刷処理部１５０の機能を有し、ページ単位の画像データを基に画像形成処理（印刷処理）を実施する。
【０１３４】
通信Ｉ／Ｆ１０７は、図２に示した通信部１１０の機能を有し、通信回線（ネットワーク）４００を介して外部装置、例えば画像入力装置２００や情報処理装置３００との通信を行うものである。
【０１３５】
ＣＰＵ１０１は、記憶装置１０２からＲＡＭ１０４に処理プログラム１０２Ａを含むプログラムを読み込んで実行することにより、図２に示した制御部１２０（受付部１２１および決定部１２２を含む）、画像処理部１４０の各機能を実現するとともに、処理プログラム１０２Ａに対応する処理機能を実現する。また、ＣＰＵ１０１は画像形成装置１００全体を制御する。
【０１３６】
本願明細書において、処理プログラムを記録媒体としてのハードディスク等の記憶装置に記録する実施形態として説明したが、当該処理プログラムを次のようにして提供してもよい。
【０１３７】
すなわち、上記処理プログラムをＲＯＭに格納しておき、ＣＰＵが、この処理プログラムをこのＲＯＭから主記憶装置へローディングして実行するようにしてもよい。
【０１３８】
また、上記処理プログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。この場合、その記録媒体に記録された処理プログラムを画像形成装置がインストールした後、この処理プログラムをＣＰＵが実行するようにする。この処理プログラムのインストール先としては、ＲＡＭ等のメモリやハードディスクなどの記憶装置（記録媒体）が挙げられる。そして、画像形成装置は、必要に応じてこの記憶装置に記憶した処理プログラムを主記憶装置にローディングして実行する。
【０１３９】
さらには、画像形成装置を通信回線（例えばインターネット）を介してサーバ装置あるいはホストコンピュータと接続するようにし、当該画像形成装置が、サーバ装置あるいはホストコンピュータから上記プ処理プログラムをダウンロードした後、この処理プログラムを実行するようにしてもよい。この場合、この処理プログラムのダウンロード先としては、ＲＡＭ等のメモリやハードディスクなどの記憶装置（記録媒体）が挙げられる。そして、当該画像形成装置が、必要に応じてこの記憶装置に記憶された上記処理プログラムを主記憶装置にローディングして実行するようにする。
【０１４０】
（第２の実施の形態）
【０１４１】
次に、第２の実施の形態に係る画像形成システムについて説明する。
【０１４２】
この画像形成システムは、図１に示した第１の実施の形態の画像形成システム１と同様の構成になっている。また、画像形成装置および画像入力装置も図２および図４に示した第１の実施の形態の画像形成装置および画像入力装置と同様の機能構成になっている。
【０１４３】
なお、第２の実施の形態では、管理情報記憶部１３０に記憶される管理情報１３００は、図１１に示す内容になっている。
【０１４４】
図１１に示す管理情報１３００は、図５に示した第１の実施の形態の管理情報１３００においてＬＥＤ表示Ｍｏｄｅ情報１３４０を追加した構成になっている。
【０１４５】
ＬＥＤ表示Ｍｏｄｅ情報１３４０には、表示部１６１によるガイダンス表示をせずに報知部１６２によるＬＥＤ表示のみとするモードを示す値例えば「オン（Ｏｎ）」、あるいは表示部１６１によるガイダンス表示を行うとともに報知部１６２によるＬＥＤ表示を行うモードを示す値例えば「オフ（Ｏｆｆ）」の何れかの値が設定される。
【０１４６】
ちなみに、図１１に示す例では、ＬＥＤ表示Ｍｏｄｅ情報１３４０には、「オン（Ｏｎ）」の値が設定されている。
【０１４７】
なお、ＬＥＤ表示Ｍｏｄｅ情報１３４０は、制御部１２０によって設定（自動設定）されるか、あるいはユーザによる操作／表示部１６０の操作部１６３の操作により設定されるようになっている。この場合、制御部１２０および操作／表示部１６０（の操作部１６３）は、それぞれ設定手段の機能を果たすことになる。
【０１４８】
制御部１２０は、当該制御部１２０または操作／表示部１６０（の操作部１６３）によって報知部１６２による報知を実施するべき旨（ＬＥＤ表示Ｍｏｄｅ＝オン）が設定されているときは、今回発生したエラーに対応して、表示部１６１への電力供給が停止された状態を維持させるとともに報知部１６２に対しエラー発生している旨を報知するよう制御する。
【０１４９】
次に、画像形成装置１００による表示部Ｏｆｆ処理について、図１２を参照して説明する。
【０１５０】
図１２に示す表示部Ｏｆｆ処理の処理手順は、図７に示した第１の実施の形態の表示部Ｏｆｆ処理の処理手順において、ステップＳ１０２をステップＳ２００に変更し、ステップＳ２０１〜Ｓ２０３を追加した処理手順になっている。
【０１５１】
画像形成装置１００では、通信部１１０によって画像入力装置２００との通信が確立した場合、決定部１２２は、図１２に示すように、ＯＰＣエラー発生頻度およびＪｏｂ発生回数の各値として、管理情報記憶部１３０に記憶されている管理情報１３００（図１１参照）の履歴情報１３１０の各設定値を設定する（ステップＳ１０１）。
【０１５２】
次に、決定部１２２は、パネルｏｆｆ待ち時間、ＯＰＣエラー発生頻度閾値（小）、ＯＰＣエラー発生頻度閾値（大）、Ｊｏｂ受信頻度閾値、およびＬＥＤ表示Ｍｏｄｅの各値として、上記管理情報１３００内の待ち時間情報１３２０、閾値情報１３３０およびＬＥＤ表示Ｍｏｄｅ情報１３４０の各設定値を設定する（ステップＳ２００）。
【０１５３】
このステップＳ２００が終了した後は、ステップＳ１０３〜Ｓ１０７が実行される。
【０１５４】
決定部１２２は、ステップＳ１０５において、「ＯＰＣエラー発生頻度＜ＯＰＣエラー発生頻度閾値（小）」の関係式が成立すると判断した場合にはステップＳ１０６に進み、また、「ＯＰＣエラー発生頻度閾値（小）＜ＯＰＣエラー発生頻度＜ＯＰＣエラー発生頻度閾値（大）」の関係式が成立すると判断した場合はステップＳ１０７に進む。
【０１５５】
決定部１２２は、ステップＳ１０５において、「ＯＰＣエラー発生頻度閾値（大）＜ＯＰＣエラー発生頻度」の関係式が成立すると判断した場合は、管理情報１３００（図１１参照）の待ち時間情報１３２０、閾値情報１３３０およびＬＥＤ表示Ｍｏｄｅ情報１３４０の各設定値は自動設定（制御部１２０による設定）であるか否かを判断する（ステップＳ２０１）。
【０１５６】
決定部１２２は、ステップＳ２０１において上記各設定値は自動設定であると判断した場合は、ＬＥＤ表示Ｍｏｄｅの設定値はオン（Ｏｎ）であるか否かを判断し（ステップＳ２０２）、このステップＳ２０２において、ＬＥＤ表示Ｍｏｄｅの値はオフ（Ｏｆｆ）であると判断した場合にはステップＳ１０７に移行し、一方、ＬＥＤ表示Ｍｏｄｅの値はオン（Ｏｎ）であると判断した場合は、制御部１２０との協働により第３の表示部ｏｆｆ処理を実行する（ステップＳ２０３）。
【０１５７】
第３の表示部Ｏｆｆ処理においては、決定部１２２は、今回発生したエラーが解除された直後の時点を、報知部１６２に対する電力供給を停止させるタイミング（停止タイミング）として決定するとともに、「ＬＥＤ表示Ｍｏｄｅ＝オン（Ｏｎ）」である旨を上位の制御部１２０へ通知する。
【０１５８】
制御部１２０は、決定部１２２から「ＬＥＤ表示Ｍｏｄｅ＝オン（Ｏｎ）」である旨（報知部１６２による報知を実施するべき旨）を取得したときは、今回発生したエラーに対応して、表示部１６１への電力供給が停止された状態を維持させるとともに報知部１６２に対しエラー発生している旨を報知するよう制御する。
【０１５９】
そして、制御部１２０は、ＯＰＣエラーが解除された場合、決定部１２２によって決定された上記停止タイミングに従って、ＬＥＤ表示している報知部１６２に対する電力供給を停止させる制御を行う。これで、上述した第３の表示部Ｏｆｆ処理が終了したことになる。
【０１６０】
なお、決定部１２２は、ステップＳ２０１において上記各設定値は自動設定ではないと判断した場合（ユーザによる手動設定であると判断した場合）は、ステップＳ２０３に移行する。
【０１６１】
次に、上述した表示部Ｏｆｆ処理について、具体例を挙げて説明する。
【０１６２】
ここで、画像形成装置１００＃１は、現在、「Ｊｏｂ受信頻度閾値＜Ｊｏｂ受信回数」かつ「ＯＰＣエラー発生頻度閾値（大）＜ＯＰＣエラー発生頻度（ＯＰＣエラー発生回数）」かつ「ＬＥＤ表示Ｍｏｄｅ＝オン（Ｏｎ）」であるとする。
【０１６３】
また、画像形成装置１００＃２は、現在、「Ｊｏｂ受信頻度閾値＜Ｊｏｂ受信回数」かつ「ＯＰＣエラー発生頻度（ＯＰＣエラー発生回数）＜ＯＰＣエラー発生頻度閾値（小）」であるとする。
【０１６４】
画像形成装置１００＃２と画像入力装置２００との間で通信が確立すると、画像形成装置１００＃２は、画像入力装置２００からの画像形成対象の印刷データ（ジョブ）を受信し、この印刷データ（ジョブ）に対する画像形成を実施する。
【０１６５】
画像形成装置１００＃２は、上述した管理情報１３００（図１１参照）の内容より、現在、「Ｊｏｂ受信頻度閾値＝３０＜Ｊｏｂ受信回数＝４４」かつ「ＯＰＣエラー発生頻度（ＯＰＣエラー発生回数）＝２＜ＯＰＣエラー発生頻度閾値（小）＝５」である。
【０１６６】
この画像形成装置１００＃２において、上述した画像形成のときに例えば紙ジャムのＯＰＣエラーが発生したときは、図８に示した表示部Ｏｆｆ処理（第１の表示部Ｏｆｆ処理）が実施される。
【０１６７】
画像形成装置１００＃１と画像入力装置２００との間で通信が確立すると、画像形成装置１００＃１は、画像入力装置２００からの画像形成対象の印刷データ（ジョブ）を受信し、この印刷データ（ジョブ）に対する画像形成を実施する。
【０１６８】
画像形成装置１００＃１は、上述した管理情報１３００（図１１参照）の内容より、現在、「Ｊｏｂ受信頻度閾値＝３０＜Ｊｏｂ受信回数＝３３」かつ「ＯＰＣエラー発生頻度閾値（大）＝１０＜ＯＰＣエラー発生頻度（ＯＰＣエラー発生回数）＝１３」かつ「ＬＥＤ表示Ｍｏｄｅ＝オン（Ｏｎ）」である。
【０１６９】
なお、「Ｊｏｂ受信頻度閾値＝３０＜Ｊｏｂ受信回数＝３３」かつ「ＯＰＣエラー発生頻度閾値（大）＝１０＜ＯＰＣエラー発生頻度（ＯＰＣエラー発生回数）＝１３」の場合は、ＯＰＣエラーが頻繁に発生しているとみなし、詳細な表示（ガイダンス表示）が不要であるなら「ＬＥＤ表示Ｍｏｄｅ＝オン（Ｏｎ）」に設定するようにする。
【０１７０】
そのため、画像形成装置１００＃１において、上述した画像形成のときに例えば紙ジャムのＯＰＣエラーが発生したときは、制御部１２０は、今回発生したＯＰＣエラーに対応して、表示部１６１への電力供給が停止された状態を維持させるとともに報知部１６２に対しエラー発生している旨を報知するよう制御する。
【０１７１】
これにより、画像形成装置１００＃１において、操作／表示部１６０の表示部１６１および報知部１６２は、図１３（ａ）に示すように電力供給が停止されている状態（電力供給がオフの状態）から、図１３（ｂ）に示すように表示部１６１に対する電力供給については停止（オフ）された状態が維持され、報知部１６２に対する電力供給がオンされた状態に遷移する。
【０１７２】
図１３（ｂ）に示す状態においては、表示部１６１においてはＯＰＣエラー（例えば紙ジャム）にかかわるガイダンス表示（エラー情報の表示）は行われず、報知部１６２のみによってＬＥＤ（発光ダイオード）の点灯によるＬＥＤ表示（エラー発生している旨の報知）が行われる。
【０１７３】
ところで、決定部１２２は、上述した画像形成装置１００＃１でＯＰＣエラーが発生した場合、図１２のステップＳ１０５において「ＯＰＣエラー発生頻度閾値（大）＜ＯＰＣエラー発生頻度」の関係式が成立すると判断し、また図１２のステップＳ２０１において各設定値は自動設定であると判断し、またステップＳ２０２において「ＬＥＤ表示Ｍｏｄｅ＝Ｏｎ」であると判断し、さらにステップＳ２０３の第３の表示部Ｏｆｆ処理を実行する。
【０１７４】
すなわち、決定部１２２は、この第３の表示部Ｏｆｆ処理を実行することにより、今回発生したＯＰＣエラー（この例では紙ジャム）が解除された直後の時点を停止タイミングとして決定する。
【０１７５】
そして、今回のＯＰＣエラー（紙ジャム）が解除されると、制御部１２０は、決定部１２２が決定した上記停止タイミングに従って操作／表示部１６０の報知部１６２の電力供給を停止（オフ）させる制御を行う。
【０１７６】
これにより、操作／表示部１６０の報知部１６２は、図１３（ｂ）に示すように電力供給がオンされた状態から、図１３（ｃ）に示すように電力供給が停止されている状態（電力供給がオフの状態）に遷移する。この場合、報知部１６２に対する電力供給は、図１３（ｄ）に示すように今回のＯＰＣエラー（紙ジャム）が解除された時点で、オン（Ｏｎ）からオフ（Ｏｆｆ）に変化される。一方、表示部１６１は、図１３（ｄ）に示すようにＯＣＰエラーが発生してからも、電力供給がオフされたままとなっている。
【０１７７】
ここで、上述した画像形成装置１００＃１が、上述した管理情報１３００（図１１参照）の内容より、現在、「Ｊｏｂ受信頻度閾値＝３０＜Ｊｏｂ受信回数＝３３」かつ「ＯＰＣエラー発生頻度閾値（大）＝１０＜ＯＰＣエラー発生頻度（ＯＰＣエラー発生回数）＝１３」かつ「ＬＥＤ表示Ｍｏｄｅ＝オフ（ｏｆｆ）」であったとする。
【０１７８】
この画像形成装置１００＃２において、上述した画像形成のときに例えば紙ジャムのＯＰＣエラーが発生したときは、図９に示した表示部Ｏｆｆ処理（第２の表示部Ｏｆｆ処理）が実施される。
【０１７９】
図１１に示す管理情報１３００における待ち時間情報１３２０、閾値情報１３３０、およびＬＥＤ表示Ｍｏｄｅ情報１３４０の各設定値がユーザの操作／表示部１６０の操作部１６３の操作による手動設定である場合は、ユーザにより「ＯＰＣエラー発生頻度閾値（小）」および「ＯＰＣエラー発生頻度閾値（大）」を自由に設定できてしまうため、「ＬＥＤ表示Ｍｏｄｅ」の必要がなくなるので、「ＬＥＤ表示Ｍｏｄｅ」の設定値に関係なく報知部１６２によるＬＥＤ表示を行うようにする。
【０１８０】
なお、上述した画像形成装置１００＃１および画像形成装置１００＃２のそれぞれが「Ｊｏｂ受信頻度閾値＞Ｊｏｂ受信回数」の関係式が成立する場合、決定部１２２は、前記各画像形成装置に関しては頻繁にＪｏｂ処理を行っていない画像形成装置とみなし、ＯＰＣエラー発生頻度（ＯＰＣエラー発生回数）に関係なく、ＯＰＣエラーが解除された直後を、表示部１６１に対する電力供給を停止させるタイミング（停止タイミング）として決定する（第１の表示部Ｏｆｆ処理参照。）。
【０１８１】
そして、制御部１２０は、決定部１２２によって決定された上記停止タイミングに従って、ガイダンス表示している表示部１６１に対する電力供給を停止させる制御を行う（第１の表示部Ｏｆｆ処理、図８参照。）。
【０１８２】
以上説明したように、第２の実施の形態では、ＯＰＣエラーの発生頻度がＯＰＣエラー発生頻度閾値を超えている場合（「ＯＰＣエラーの発生頻度＞ＯＰＣエラー発生頻度閾値（大）」の場合）で、かつ「ＬＥＤ表示Ｍｏｄｅ＝オン（Ｏｎ）」に設定されている場合に、ＯＰＣエラーが発生したときは、表示部１６１によるガイダンス表示は行わず、報知部１６２によるＬＥＤ表示のみを行うようにしているので、表示部１６１は、頻繁に発生するＯＰＣエラーにかかわるガイダンス表示を行う必要がない。
【０１８３】
すなわち、表示部１６１のオフ（Ｏｆｆ）とオン（Ｏｎ）の動作が抑制される。したがって、表示部１６１は、第１の実施の形態の場合に比較して、より一層、寿命の低下が抑制される。
【０１８４】
（第３の実施の形態）
【０１８５】
次に、第３の実施の形態に係る画像形成システムについて説明する。
【０１８６】
この画像形成システムは、第２の実施の形態に係る画像形成システムと同様の構成になっている。また、画像形成装置および画像入力装置も、第２の実施の形態に係る画像形成装置および画像入力装置と同様の機能構成になっている。
【０１８７】
なお、第３の実施の形態では、管理情報記憶部１３０に記憶される管理情報１３００のＬＥＤ表示Ｍｏｄｅ情報１３４０は「ＬＥＤ表示Ｍｏｄｅ＝オフ（Ｏｆｆ）」の設定値が設定されている。
【０１８８】
また、画像形成装置１００＃１は、現在、「Ｊｏｂ受信頻度閾値＜Ｊｏｂ受信回数」かつ「ＯＰＣエラー発生頻度閾値（大）＜ＯＰＣエラー発生頻度（ＯＰＣエラー発生回数）」かつ「ＬＥＤ表示Ｍｏｄｅ＝オフ（Ｏｆｆ）」であるとする。
【０１８９】
また、画像形成装置１００＃２は、現在、「Ｊｏｂ受信頻度閾値＜Ｊｏｂ受信回数」かつ「ＯＰＣエラー発生頻度（ＯＰＣエラー発生回数）＜ＯＰＣエラー発生頻度閾値（小）」であるとする。
【０１９０】
さらに、画像形成装置１００＃ｎは、現在、「Ｊｏｂ受信頻度閾値＜Ｊｏｂ受信回数」かつ「ＯＰＣエラー発生頻度閾値（小）＜ＯＰＣエラー発生頻度（ＯＰＣエラー発生回数）＜ＯＰＣエラー発生頻度閾値（大）」であるとする。
【０１９１】
第３の実施の形態の画像形成装置１００による表示部Ｏｆｆ処理は、図１２に示した第２の実施の形態の表示部Ｏｆｆ処理の処理手順と同様である。
【０１９２】
次に、画像形成装置１００による表示部Ｏｆｆ処理について、具体例を挙げて説明する。
【０１９３】
画像形成装置１００＃２と画像入力装置２００との間で通信が確立すると、画像形成装置１００＃２は、画像入力装置２００からの画像形成対象の印刷データ（ジョブ）を受信し、この印刷データ（ジョブ）に対する画像形成を実施する。
【０１９４】
画像形成装置１００＃２は、上述した第３の実施の形態の管理情報１３００の内容より、現在、「Ｊｏｂ受信頻度閾値＝３０＜Ｊｏｂ受信回数＝４４」かつ「ＯＰＣエラー発生頻度（ＯＰＣエラー発生回数）＝２＜ＯＰＣエラー発生頻度閾値（小）＝５」である。
【０１９５】
この画像形成装置１００＃２において、上述した画像形成のときに例えば紙ジャムのＯＰＣエラーが発生したときは、図８に示した表示部Ｏｆｆ処理（第１の表示部Ｏｆｆ処理）が実施される。
【０１９６】
画像形成装置１００＃ｎと画像入力装置２００との間で通信が確立すると、画像形成装置１００＃ｎは、画像入力装置２００からの画像形成対象の印刷データ（ジョブ）を受信し、この印刷データ（ジョブ）に対する画像形成を実施する。
【０１９７】
画像形成装置１００＃ｎは、上述した第３の実施の形態の管理情報１３００の内容より、現在、「Ｊｏｂ受信頻度閾値＝３０＜Ｊｏｂ受信回数＝３１」かつ「ＯＰＣエラー発生頻度閾値（小）＝５＜ＯＰＣエラー発生頻度（ＯＰＣエラー発生回数）＝７＜ＯＰＣエラー発生頻度閾値（大）＝１０」である。
【０１９８】
この画像形成装置１００＃ｎにおいて、上述した画像形成のときに例えば紙ジャムのＯＰＣエラーが発生したときは、図９に示した表示部Ｏｆｆ処理（第２の表示部Ｏｆｆ処理）が実施される。
【０１９９】
画像形成装置１００＃１と画像入力装置２００との間で通信が確立すると、画像形成装置１００＃１は、画像入力装置２００からの画像形成対象の印刷データ（ジョブ）を受信し、この印刷データ（ジョブ）に対する画像形成を実施する。
【０２００】
画像形成装置１００＃１は、上述した第３の実施の形態の管理情報１３００の内容より、現在、「Ｊｏｂ受信頻度閾値＝３０＜Ｊｏｂ受信回数＝３３」かつ「ＯＰＣエラー発生頻度閾値（大）＝１０＜ＯＰＣエラー発生頻度（ＯＰＣエラー発生回数）＝１３」かつ「ＬＥＤ表示Ｍｏｄｅ＝オフ（Ｏｆｆ）」である。
【０２０１】
この画像形成装置１００＃１において、上述した画像形成のときに例えば紙ジャムのＯＰＣエラーが発生したときは、図９に示した表示部Ｏｆｆ処理（第２の表示部Ｏｆｆ処理）が実施される。
【０２０２】
ここで、画像形成装置１００＃１が、上記状態とは異なり、上述した第２の実施の形態の管理情報１３００の内容より、現在、「Ｊｏｂ受信頻度閾値＝３０＜Ｊｏｂ受信回数＝３３」かつ「ＯＰＣエラー発生頻度値（大）＝１０＜ＯＰＣエラー発生頻度（ＯＰＣエラー発生回数）＝１３」かつ「ＬＥＤ表示Ｍｏｄｅ＝オン（Ｏｎ）」であるとする。
【０２０３】
この画像形成装置１００＃１において、上述した画像形成のときに例えば紙ジャムのＯＰＣエラーが発生したときは、図１３に示した表示部Ｏｆｆ処理（第３の表示部Ｏｆｆ処理）が実施される。この場合、表示部１６１によるガイダンス表示は行われず、報知部１６２によるＬＥＤ表示のみが行われる。ＯＰＣエラーが解除された直後に、報知部１６２に対する電力供給が停止（オフ）され、報知部１６２のＬＥＤ（発光ダイオード）は消灯する。
【０２０４】
図１１に示す管理情報１３００における待ち時間情報１３２０、閾値情報１３３０、およびＬＥＤ表示Ｍｏｄｅ情報１３４０の各設定値がユーザの操作／表示部１６０の操作部１６３の操作による手動設定である場合は、ユーザにより「ＯＰＣエラー発生頻度閾値（小）」および「ＯＰＣエラー発生頻度閾値（大）」を自由に設定できてしまうため、「ＬＥＤ表示Ｍｏｄｅ」の必要がなくなるので、「ＬＥＤ表示Ｍｏｄｅ」の設定値に関係なく報知部１６２によるＬＥＤ表示を行うようにする。
【０２０５】
なお、上述した画像形成装置１００＃１、画像形成装置１００＃２および画像形成装置１００＃ｎのそれぞれが「Ｊｏｂ受信頻度閾値＞Ｊｏｂ受信回数」の関係式が成立する場合、決定部１２２は、前記各画像形成装置に関しては頻繁にＪｏｂ処理を行っていない画像形成装置とみなし、ＯＰＣエラー発生頻度（ＯＰＣエラー発生回数）に関係なく、ＯＰＣエラーが解除された直後を、表示部１６１に対する電力供給を停止させるタイミング（停止タイミング）として決定する（第１の表示部Ｏｆｆ処理参照。）。
【０２０６】
そして、制御部１２０は、決定部１２２によって決定された上記停止タイミングに従って、ガイダンス表示している表示部１６１に対する電力供給を停止させる制御を行う（第１の表示部Ｏｆｆ処理、図８参照。）。
【０２０７】
（第４の実施の形態）
【０２０８】
次に、第４の実施の形態に係る画像形成システムについて説明する。
【０２０９】
この画像形成システムは、第２の実施の形態に係る画像形成システムと同様の構成になっている。また、画像形成装置および画像入力装置も、第２の実施の形態に係る画像形成装置および画像入力装置と同様の機能構成になっている。
【０２１０】
なお、第４の実施の形態では、管理情報記憶部１３０に記憶される管理情報１３００は、図１４に示す内容になっている。
【０２１１】
図１４に示す管理情報１３００は、図１１に示した第２の実施の形態の管理情報１３００の構成において履歴情報１３１０および閾値情報１３３０をそれぞれ履歴情報１３１０Ａおよび閾値情報１３３０Ａに変更した構成になっている。
【０２１２】
履歴情報１３１０Ａは、例えば「５：００〜１２：００」（朝）、「１２：００〜１６：００」（昼）、「１６：００〜５：００」（夜）など予め設定される期間を示す時間帯１３１３Ａ、ＯＰＣエラーの発生頻度（発生回数）を示すＯＰＣ発生回数１３１１Ａ、および画像形成対象のジョブ（印刷データ）の受信回数を示すＪｏｂ受信回数１３１２Ａの各項目から構成されている。この履歴情報１３１０は、時間帯毎にＯＰＣエラーの発生頻度およびＪｏｂの受信回数が履歴情報として記録されるようになっている。
【０２１３】
閾値情報１３３０Ａは、「５：００〜１２：００」（朝）、「１２：００〜１６：００」（昼）、「１６：００〜５：００」（夜）など予め設定される期間を示す時間帯１３３１、ＯＰＣエラーの発生頻度（発生回数）に対する第１の閾値を示すＯＰＣエラー発生頻度閾値（小）１３３２、ＯＰＣエラーの発生頻度（発生回数）に対する第２の閾値を示すＯＰＣエラー発生頻度閾値（大）１３３３、Ｊｏｂの受信回数に対する閾値を示すＪｏｂ受信頻度閾値１３３４の各項目から構成されている。この閾値情報１３３０Ａは、時間帯毎に、ＯＰＣエラー発生頻度閾値（小）、ＯＰＣエラー発生頻度閾値（大）およびＪｏｂ受信頻度閾値が設定される。
【０２１４】
この閾値情報１３３０Ａは、少なくとも予め設定される期間（例えば時間帯）ごとに設定された閾値（ＯＰＣエラー発生頻度閾値（小）、ＯＰＣエラー発生頻度閾値（大））を含んでいる。
【０２１５】
上述した管理情報記憶部１３０は、閾値記憶手段の機能を果たすものである。
【０２１６】
なお、待ち時間情報１３２０、閾値情報１３３０ＡおよびＬＥＤ表示Ｍｏｄｅ情報１３４０は、制御部１２０によって設定（自動設定）されるか、あるいはユーザによる操作／表示部１６０の操作部１６３の操作により設定されるようになっている。
【０２１７】
複数の画像形成装置１００＃１，１００＃２，１００＃ｎの管理情報１３００における履歴情報の一例を図１５に示す。
【０２１８】
第４の実施の形態の画像形成装置１００による表示部Ｏｆｆ処理は、図１２に示した第２の実施の形態の表示部Ｏｆｆ処理の処理手順と同様である。
【０２１９】
なお、決定部１２２は、今回発生したＯＰＣエラーの発生時期が含まれる期間に対応する閾値を管理情報記憶部１３０の閾値情報１３１０Ａから読み出すとともに、この読み出した閾値とエラーの発生頻度とを比較し、該比較した結果に応じて上述した停止タイミングを決定する。
【０２２０】
そして、決定部１２２と制御部１２０とが協働して、時間帯ごとに、上述した第１の表示部Ｏｆｆ処理、第２の表示部Ｏｆｆ処理、第３の表示部Ｏｆｆ処理の何れかの処理を実施する。
【０２２１】
第４の実施の形態では、予め設定される期間は時間帯であるとして説明したが、本発明はこれに限定されることなく、予め設定される期間は、例えば曜日単位、週単位とするようにしてもよい。
【０２２２】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【産業上の利用可能性】
【０２２３】
本発明は、印刷機能、複写機能、スキャン機能など複数の画像形成機能を有する画像形成装置（いわゆる複合機）に適用することができる。
【０２２４】
また、本発明は、複数の上記画像形成装置（複合機）が通信回線を介して接続される画像形成システムに適用することができる。
【符号の説明】
【０２２５】
１  画像形成システム
１００，１００＃１，１００＃２，１００＃ｎ  画像形成装置
１０１  ＣＰＵ
１０２  記憶装置
１０２Ａ  処理プログラム
１０３  ＲＯＭ
１０４  ＲＡＭ
１０５  操作パネル
１０６  プリンタエンジン
１０７，２０７  通信Ｉ／Ｆ
１１０  通信部
１２０  制御部
１２１  受付部
１２２  決定部
１３０  管理情報記憶部
１４０  画像処理部
１５０  印刷処理部
１６０  操作／表示部
１６１  表示部
１６２  報知部
１６３  操作部
２００  画像入力装置
３００  情報処理装置
４００  通信回線
１３００  管理情報
【図１】
2010191379.tif 000003
【図２】
2010191379.tif 000004
【図３】
2010191379.tif 000005
【図４】
2010191379.tif 000006
【図５】
2010191379.tif 000007
【図６】
2010191379.tif 000008
【図７】
2010191379.tif 000009
【図８】
2010191379.tif 000010
【図９】
2010191379.tif 000011
【図１０】
2010191379.tif 000012
【図１１】
2010191379.tif 000013
【図１２】
2010191379.tif 000014
【図１３】
2010191379.tif 000015
【図１４】
2010191379.tif 000016
【図１５】
2010191379.tif 000017